(57)【特許請求の範囲】
【請求項１】
土壌を掘削して、若しくは凹形地形部に設けられ、廃棄物を埋設するための凹部と、当該凹部に敷設され、廃棄物と土壌とを仕切るための遮水シートと、廃棄物から漏出する汚水を排水するための排水手段とからなる廃棄物処分場において、前記凹部内に設けられ、かつ、当該凹部周縁の地面より低い高さの支柱と、前記凹部周縁の地面から前記支柱に向かって下降して架設され、前記廃棄物への雨水の降水を防止するための屋根部とを備え、
前記支柱は、軸方向に貫通し、下部において排水路と連結した穴部を有することを特徴とする廃棄物処分場。
【発明の詳細な説明】
【０００１】
【発明の属する技術分野】
本発明は、廃棄物を土壌内に埋設して最終処分する廃棄物処分場に関する。
【０００２】
【従来の技術】
廃棄物の最終処分場として、土壌中に廃棄物を埋設する埋立て型の廃棄物処分場が提案されている。従来の廃棄物処分場を図３の断面図により説明する。
廃棄物処分場１００は、土壌を掘削した凹部表面に敷設された遮水シート１０１と、遮水シート１０１の中央部長手方向に延設された排水路１０３と、排水路１０３内の汚水から発生するガスを排気するための排気部１０４と、遮水シート１０１の外側に設けられ、地下水の遮水シート１０１への圧迫を防止するための地下水排水路１０５と、からなる。
【０００３】
遮水シート１０１は、埋設される廃棄物１０６と土壌とを仕切り、廃棄物１０６による周辺土壌の汚染を防止するものである。
排水路１０３は、廃棄物１０６から生じる汚水を穴部１０３ａから集水し、排水管１０３ｂを介して別途の浄化施設に送流するものである。
排気部１０４は、排水路１０３内の汚水が生じるガスを内部を貫通した穴から上空の大気中に放出するものである。
廃棄物処分場１００は、廃棄物１０６が満杯になれば蓋をするようにして、上部を埋め立てられる。廃棄物１０６は、経年的に腐食し、土化する。
【０００４】
【発明が解決しようとする課題】
一方、従来の廃棄物処分場１００において、降雨時には雨水が廃棄物１０６に浸透し、汚水となる。従って、排水路１０３から浄化施設に送流される汚水の量が過大となり、浄化施設において十分に処理しきれない事態が生ずる。この場合、浄化施設の処理容量を増設することも考えられるが、施工コストやランニングコストの面で好ましくない。
また、排気部１０４から廃棄されるガスは、有害物質を含有する場合があり、何ら浄化処理を行わず大気中に放出することは、大気汚染の要因ともなる。
【０００５】
従って、本発明の目的は、降雨時の汚水の増加による弊害を防止する廃棄物処分場を提供することにある。
また、本発明の目的は、廃棄物から生じるガスの大気への放出量を軽減する廃棄物処分場を提供することにある。
【０００６】
【課題を解決するための手段】
本発明によれば、土壌を掘削して、若しくは凹形地形部に設けられ、廃棄物を埋設するための凹部と、当該凹部に敷設され、廃棄物と土壌とを仕切るための遮水シートと、廃棄物から漏出する汚水を排水するための排水手段とからなる廃棄物処分場において、前記凹部内に設けられ、かつ、当該凹部周縁の地面より低い高さの支柱と、前記凹部周縁の地面から前記支柱に向かって下降して架設され、前記廃棄物への雨水の降水を防止するための屋根部とを備え、前記支柱は、軸方向に貫通し、下部において排水路と連結した穴部を有することを特徴とする廃棄物処分場が提供される（請求項１）。
【０００７】
前記屋根部としては、防水及び防災加工を施した合成又は無機繊維のシートの、いわゆる策懸架式、空気式、膜式、骨組み膜式構造を適用できる。
前記水路は、屋根部の一部に向かって、全体が下降する傾斜を有するように設置すればよい。なお、前記水路内の雨水は、廃棄物に汚染されていないので、浄化処理の必要はなく、中水・防火用水として地域的に利水することもできる。
【０００８】
この手段においては、凹部内において頂上が凹部周縁の地面より低い支柱が設けられ、屋根部が当該支柱と凹部周縁の地面との間に架設される。支柱は、軸方向に貫通した穴部を備えており、当該穴部には屋根部の傾斜に従って雨水が流入し、さらに当該穴部を通って支柱下部の排水路に流入する。排水路内の雨水は、下水等に放流される。
従って、この廃棄物処分場においても、雨水と汚水とを別々に処理することができる。
【０００９】
【発明の実施の形態】
以下、本発明の好適な実施の形態を添付図面に基づいて説明する。
図１は、本発明にかかる廃棄物処分場１の断面図である。
廃棄物処分場１は、土壌の凹部表面に敷設され、廃棄物３を土壌から仕切るための遮水シート２と、廃棄物処分場１の略中央部に設けられ、地面より突出した高さを有する支柱４と、支柱４に一端部を支持され、支柱４から凹部周縁の地面に向かって下降して設置されたシート屋根５と、シート屋根５の他端周縁に設けられた雨水排水路６と、廃棄物３中を流下する汚水を排水するための汚水排水路７と、廃棄物３から発生するガスを排気するの排気ダクト８と、からなる。
【００１０】
土壌の凹部は、そのような地形を有する土壌を利用してもよいし、掘削して得たものを利用してもよい。
【００１１】
支柱４は、その下部が土壌に埋設・支持されて、自立するものであって、遮水シート２のうち廃棄物処分場１の底部に位置する部分を、適当な止水処理を施したうえで貫通した構造とされる。また、上部においては、シート屋根５が既存の方法により係止される。
この支柱４は、廃棄物処分場１の平面形状に応じて、シート屋根５を支持するのに必要な本数だけ設けるものである。
シート屋根５は、防水及び防災加工を施した合成又は無機繊維からなるものであり、支柱４と、地面との高低差により支柱４から地面に向かって下降して傾斜するように設置される。地面との係止は既存の方法による。
また、シート屋根５の周縁の一部は開放して垂れ幕５'を施し、廃棄物運搬車両は、この垂れ幕５'を通って処分場１内に進入し、廃棄物を投棄する。
【００１２】
雨水排水路６は、シート屋根５の周縁に沿って設けられ、また、図示しない下水、河川、貯水池等と連結されたものである。
汚水排水路７は、廃棄物から漏出する汚水が溜りやすい遮水シート２の隅部を通って延設され、図示しない汚水の浄化施設に連結される。汚水排水路７に流下した汚水は、最終的に当該浄化施設にて処理され、河川等に放流される。
排気ダクト８は、廃棄物から生じたガスを集気する手段に連設され、当該ガスを図示しない浄化施設に送流するものである。
【００１３】
係る構成から成る廃棄物処分場１は、雨天時に廃棄物処分場１に降雨した雨水を、シート屋根５によって遮水し、廃棄物３との接触を防止する。雨水は、シート屋根５の傾斜に沿って、雨水排水路６に流入し、最終的に河川等に放流される。 一方、廃棄物３から生じた汚水は汚水排水路７に流入し、別途の浄化施設に送流される。従って、廃棄物処分場１によれば雨水と、汚水とを区別して処理するため、雨水による汚水の増水を防止することができる。
【００１４】
また、廃棄物３が全体に渡ってシート屋根５によって覆われた状態となるので、廃棄物３により発生するガスが大気中に漏洩することを軽減できる。このガスは、廃棄ダクト８を介して集気されて浄化施設に送流される。
なお、廃棄物処分場１の跡地は、公園等として利用することができ、この際、支柱４は撤去せずとも、テントの支柱等として利用することもできる。
【００１５】
図２は、本発明にかかる他の廃棄物処分場１１の断面図である。
廃棄物処分場１１は、土壌を掘削することにより設けた凹部表面に敷設され、廃棄物１３と土壌とを仕切る遮水シート１２と、廃棄物処分場１１の略中央部に設けられ、地面より低い高さを有する支柱１４と、支柱１４に一端部を支持され、支柱１４から地面に向かって上昇して設置されたシート屋根１５と、廃棄物３中を流下する汚水を排水するための汚水排水路１７と、廃棄物１３から発生するガスを排気するの排気ダクト１８と、からなる。
支柱１４は、内部に貫通した穴１４ａを有し、この穴１４ａは、支柱１４の下部に設けた雨水排水路１６と連通する。シート屋根１５は、支柱１４と地面との高低差分だけ傾斜する。
【００１６】
係る構成から成る廃棄物処分場１１は、雨天時に廃棄物処分場１１に降雨した雨水を、上述した廃棄物処分場１と同様に、シート屋根５によって廃棄物３に降雨することを防止する。但し、雨水は、シート屋根５の傾斜に沿って、支柱１４の上部に集中し、穴１４ａを通って雨水排水路１６に流入し、河川等に放流されるという点で異なる。
その他の作用、効果は廃棄物処分場１と同様である。
【図面の簡単な説明】
【図１】本発明にかかる廃棄物処分場１の断面図である。
【図２】本発明にかかる廃棄物処分場１１の断面図である。
【図３】従来の廃棄物処分場１００の断面図である。
【符号の説明】
１ 廃棄物処分場
２ 遮水シート
３ 廃棄物
４ 支柱
５ シート屋根
６ 雨水排水路
７ 汚水排水路
８ 排気ダクト
【図１】
0003929549.tif 000002
【図２】
0003929549.tif 000003
【図３】
0003929549.tif 000004